(57)【要約】      （修正有）【課題】壁掛けハンガーに掛けられたタオルの接触による壁面汚れを防止するための壁面保護板を提供する。【解決手段】タオル掛け用壁面保護板１０は、壁掛けハンガー３０に掛けられたタオルＴの接触による壁面３１汚れを防止するための壁面保護板２０であって、壁面保護板２０は、所要の長さ・幅・厚みを有した縦長の略矩形状を成すと共に、上辺所定箇所に係止部２１が形成されて成り、該係止部２１を介して既存の壁掛けハンガー３０に係止される手段を採る。【選択図】図１
0003227708.tif 000002
【実用新案登録請求の範囲】
【請求項１】
壁掛けハンガー（３０）に掛けられたタオル（Ｔ）の接触による壁面（３１）汚れを防止するための壁面保護板（２０）であって、
前記壁面保護板（２０）は、所要の長さ・幅・厚みを有した縦長の略矩形状を成すと共に、上辺所定箇所に係止部（２１）が形成されて成り、
該係止部（２１）を介して既存の壁掛けハンガー（３０）に係止されることを特徴とするタオル掛け用壁面保護板（１０）。
【請求項２】
前記壁面保護板（２０）の表面に、抗菌加工が施されて成ることを特徴とする請求項１に記載のタオル掛け用壁面保護板（１０）。
【考案の詳細な説明】
【技術分野】
【０００１】
本考案は、壁掛けハンガーに掛けられたタオルの接触による壁面汚れを防止し、清潔を保つための壁面保護板に関するものである。
【背景技術】
【０００２】
従来より、スイッチプレート周辺壁の汚れを防ぎ、且つ取付け交換容易なる「壁面の汚れ防止具」（特許文献１）が提案され、公知技術となっている。具体的には、矩形、円形状あるいはその相似形状をした薄板材に化粧を施し、壁面のスイッチプレートとの間に取付ける壁面の汚れ防止具である。
【０００３】
しかしながら、かかる「壁面の汚れ防止具」の提案は、スイッチプレート周辺の壁面における汚れ防止の技術に限られるものであると共に、該スイッチプレートと壁との間に薄板を挟み込んでスイッチプレートと共にビス止めを行うといった煩雑な取付け作業が必要であって、設置作業性に難があるものであった。
【０００４】
また、タオルを使ううちに、タオルの汚れが壁面にこびり付いてしまい、汚れを落とすのが困難であることを解決することができる「壁面汚れ防止器具」（特許文献２）が提案され、公知技術となっている。具体的には、タオル掛け器具の付け根をフック状にし、シート上端のプラスチック等でできた円筒に通された紐をフックに掛けることで、タオルと壁面の間にシートを介在させるようにした壁面汚れ防止器具である。
【０００５】
しかしながら、かかる「壁面汚れ防止器具」の提案は、タオル掛け器具自体にフックを備える必要があるもので、かかる構造を備えていない既存のタオル掛け器具に対し、装着し得る器具とはなっていない。
【０００６】
本出願人は、上記のような従来から提案されている壁面の汚れ防止器具において、装着の困難性や汎用が効かない点に着目し、タオル掛けに対する装着安定性及び装着容易性、そして汎用性を向上し得ないものかとの着想のもと、壁掛けハンガーに掛けられたタオルの接触による壁面の汚れを効果的に防止し得る器具を開発し、本考案にかかる「タオル掛け用壁面保護板」の提案に至るものである。
【先行技術文献】
【特許文献】
【０００７】
【特許文献１】特開平１１−１０７５０７号公報
【特許文献２】特開平７−２７５１５９号公報
【考案の概要】
【考案が解決しようとする課題】
【０００８】
本考案は、上記事情に鑑み、壁掛けハンガーに掛けられたタオルの接触による壁面の汚れを効果的に防止し得るタオル掛け用壁面保護板を提供することを課題とするものである。
【課題を解決するための手段】
【０００９】
上記課題を解決するため、本考案は、壁掛けハンガーに掛けられたタオルの接触による壁面汚れを防止するための壁面保護板であって、前記壁面保護板は、所要の長さ・幅・厚みを有した縦長の略矩形状を成すと共に、上辺所定箇所に係止部が形成されて成り、該係止部を介して既存の壁掛けハンガーに係止される手段を採る。
【００１０】
また、本考案は、前記壁面保護板の表面に、抗菌加工が施されて成る手段を採る。
【考案の効果】
【００１１】
本考案にかかるタオル掛け用壁面保護板によれば、既存の壁掛けハンガーに引っ掛けることで、タオルと壁面との間にタオル掛け用壁面保護板が介在することとなって、壁面が汚れず、タオルの水滴が壁に着かずに、壁面のカビの発生をも抑制することが可能になる、といった優れた効果を奏する。
【００１２】
また、本考案にかかるタオル掛け用壁面保護板によれば、単に既存の壁掛けハンガーに引っ掛けるだけで装着可能であることから、取り付けや交換作業が容易であると共に、常時タオルの衛生状態を清潔に保つことができる、といった優れた効果を奏する。
【００１３】
さらに、本考案にかかるタオル掛け用壁面保護板によれば、一点支持や二点支持など、あらゆる形態の既存の壁掛けハンガーに引っ掛け得る構造を有していることから、汎用性に資する、といった優れた効果を奏する。
【００１４】
またさらに、本考案にかかるタオル掛け用壁面保護板によれば、壁面保護板の表面に抗菌加工を施すことによって、常に衛生状態が良好に維持される、といった優れた効果を奏する。
【図面の簡単な説明】
【００１５】
【図１】本考案にかかるタオル掛け用壁面保護板の実施形態を示す説明図である。
【図２】本考案にかかるタオル掛け用壁面保護板の他の実施形態を示す説明図である。
【考案を実施するための形態】
【００１６】
本考案にかかるタオル掛け用壁面保護板１０は、壁掛けハンガー３０に掛けられたタオルＴの接触による壁面３１汚れを防止するための壁面保護板２０であって、壁面保護板２０は、所要の長さ・幅・厚みを有した縦長の略矩形状を成すと共に、上辺所定箇所に係止部２１が形成されて成り、係止部２１を介して既存の壁掛けハンガー３０に係止される手段を採ったことを最大の特徴とする。
以下、本考案にかかるタオル掛け用壁面保護板１０の実施形態を、図面に基づいて説明する。
【００１７】
尚、本考案にかかるタオル掛け用壁面保護板１０は、以下に述べる実施例に限定されるものではなく、本考案の技術的思想の範囲内、すなわち同一の作用効果を発揮できる形状や寸法等の範囲内で、適宜変更することができる。
【実施例１】
【００１８】
図1は、本考案にかかるタオル掛け用壁面保護板の実施形態を示す説明図であり、（ａ）は全体斜視図、（ｂ）は使用状態を示している。かかる図１は、一点支持仕様の壁掛けハンガー３０に対する本考案の実施形態を示すものである。
また、図２は、本考案にかかるタオル掛け用壁面保護板の他の実施形態を示す説明図であり、（ａ）は全体斜視図、（ｂ）は使用状態を示している。かかる図２は、二点支持仕様の壁掛けハンガー３０に対する本考案の実施形態を示すものである。
本考案にかかるタオル掛け用壁面保護板１０は、壁面保護板２０と、係止部２１により構成されている。
【００１９】
壁面保護板２０は、その形状について、所要の長さ・幅・厚みを有した縦長の略矩形状を成して形成されている。その大きさは、壁掛けハンガー３０に掛けられたタオルの壁面への接触を防止すべく、その掛けられたタオルより一回り程度大きいサイズが好ましく、掛けられるタオルの種類（ハンドタオル・バスタオル）等を考慮して選択し得るよう、複数サイズを揃えることが望ましい。
【００２０】
壁面保護板２０の素材については、特に限定されるものではなく、例えば、紙材や木材、プラスチックやビニール等の合成樹脂素材、アルミニウムやステンレス、銅などの金属素材などが使用される。中でも金属素材によっては、例えば銅など抗菌・殺菌作用を有するものもあり、壁面保護板２０をかかる素材で成形することも有効である。
また、壁面保護板２０の素材として、紙やビニールなどを使用した場合に、使い捨てとする態様を採ることも可能である。
【００２１】
壁面保護板２０の上辺所定箇所には、係止部２１が形成されている。該係止部２１は、一点支持仕様の壁掛けハンガー３０に装着し得るものの場合、図１に示す様に、壁面保護板２０の上辺中央箇所に形成される。このとき、該係止部２１の具体的構造については、特に限定するものではないが、壁掛けハンガー３０への装着容易性に鑑み、例えばフック状の形状を有して成る構造が考えられ、これにより既存の一点支持仕様の壁掛けハンガー３０の支持部にフックを引っ掛けるだけで、容易に装着することが可能である。
【００２２】
係止部２１について、二点支持仕様の壁掛けハンガー３０に装着し得るものの場合、図２に示す様に、壁面保護板２０の上辺左右箇所に形成される。このとき、該係止部２１の具体的構造については、特に限定するものではないが、壁掛けハンガー３０への装着容易性に鑑み、例えば左右へ突出した突部を有して成る構造が考えられ、これにより既存の二点支持仕様の壁掛けハンガー３０の支持部に突部を引っ掛けるだけで、容易に装着することが可能である。
【００２３】
尚、本考案が使用される壁掛けハンガー３０は、市販されている既存の一点支持仕様若しくは二点支持仕様の壁掛けハンガー３０を使用するもので、特に限定されるものではなく、例えば支持部となる吸着パットと三角形のタオル掛けグリップで構成された一点支持仕様の壁掛けハンガー３０や、螺着等により壁面に略水平に固着された二つの支持部間にタオル掛けレールが横架されて成る二点支持仕様の壁掛けハンガー３０などが用いられる。
【００２４】
以上の構成態様から成る本考案にかかるタオル掛け用壁面保護板１０は、既存の壁掛けハンガーに引っ掛けることで、タオルと壁面との間にタオル掛け用壁面保護板が介在することとなって、壁面が汚れず、タオルの水滴が壁に着かずに、壁面のカビの発生をも抑制することが可能になると共に、取り付けや交換作業が容易であって、常時タオルＴの衛生状態を清潔に保つことができ、さらには、一点支持仕様や二点支持仕様など、あらゆる形態の既存の壁掛けハンガーに引っ掛け得る構造を有しており、汎用性に資するものである。
【実施例２】
【００２５】
他の実施例について説明する。実施例１と同様の部分は省略する。
本考案にかかるタオル掛け用壁面保護板１０において、壁面保護板２０の表面に抗菌加工が施されて成る手段を採用し得る。
抗菌加工は、コーティングやメッキのほか、素材に抗菌剤が埋め込まれている場合や、素材自体の抗菌性を利用する態様を採ることができる。
【００２６】
一般的に抗菌性を有するものとして、金属イオンが考え得る。例えば、Ａｇ＋銀イオンによる殺菌効果は、レジオネラ菌、大腸菌、ブドウ球菌、一般細菌、ＭＲＳＡ、ヘルペスウィルス、赤痢菌、緑膿菌、ポリオウィルスロタウィルスなど殆どの細菌に対して有効性を示すものである。
また、Ｚｎ２＋亜鉛イオンやＣｕ２＋銅イオンにおいては、微量であっても殺菌性、抗菌性が強いことは古くから知られている。さらに、これらのイオンは、大腸菌と黄色ブドウ球菌に対しても有効性を示すものである。
【００２７】
本考案では、上記した様な抗菌性を有する金属イオン等が含まれた抗菌剤を使用し、該抗菌剤が配合された塗布剤を壁面保護板２０の表面に塗布したり、抗菌剤が配合されたフィルムで壁面保護板２０の表面を被覆したり、壁面保護板２０の素材自体に抗菌剤を配合するなどの方法により、壁面保護板２０の表面に抗菌加工が施される。もちろん、素材によってはそのままで抗菌性を有するものも存しており、かかる素材により壁面保護板２０を成形して抗菌性を発揮させる態様であってもよい。
【００２８】
以上の構成態様から成る本考案にかかるタオル掛け用壁面保護板１０は、壁面保護板２０の表面に抗菌加工が施されることによって、壁面保護板２０自体はもちろんのこと、タオルＴや壁面３１における衛生環境が常に良好な状態で維持されることとなる。
【産業上の利用可能性】
【００２９】
本考案にかかるタオル掛け用壁面保護板は、単に既存の壁掛けハンガーに引っ掛けるだけで装着でき、壁面が汚れず、タオルの水滴が壁に着かずに、壁面のカビの発生をも抑制することが可能であって、水回りの衛生状態の向上に資するものである。したがって、本考案にかかる「タオル掛け用壁面保護板」の産業上の利用可能性は極めて大であるものと思料する。
【符号の説明】
【００３０】
１０    タオル掛け用壁面保護板
２０    壁面保護板
２１    係止部
３０    壁掛けハンガー
３１    壁面
Ｔ    タオル
【図１】
0003227708.tif 000003
【図２】
0003227708.tif 000004